(57)【要約】本発明は、排出物浄化システムとも称される地球温暖化を減速させるための環境を考慮した装置に係る。当該装置は、基体をポンプし、カスケードし、泡立て（bubbling）、空気混和し、潤滑化させ、液化させるシステムを使用して、燃焼によって発出される汚染ガスを除去する工程を行なう装置を有する。該ガスは、収集及び格納される。本願発明は、燃焼温度を低減し、地球温暖化及び酸性雨を防ぎ、燃焼中に発出される騒音及び特徴的な燃焼臭を排除し、遠心性の熱エネルギの形状で発出される熱エネルギ及び蒸気を多種の用途に対して用いられ得るようにする。
2011517296.tif 000002
【特許請求の範囲】
【請求項１】
一方が垂直方向であり他方が水平方向である２つの円錐体部分によって形成される排出物浄化システムであって、
該垂直方向円錐体部分は、
基部と、
高架タンクを担持するための円筒形フレームと、
該高架タンクの前記円筒形フレームの中心において据え付けられるバーナーと、
イグニション球体と、
前記垂直方向円錐体の内側の前記円筒形フレームの上部における高架タンクと、
前記垂直方向円錐体の上方部分における管状スプレイヤと、
反転してはめ合わされた抽出機を用いて空気が供給される蓋を有する、前記垂直方向円錐体部分がその幅が最も広い部分の近くにおいて第２の水平方向円錐体部分に対して接続されるフロー分配器と、
前記水平方向円錐体における異なる部分においてはめ合わされる円形遮蔽体と、
前記水平方向円錐体に沿ってはめ合わされるスプレイヤと、
を有し、
前記水平方向円錐体の幅が最も狭い部分は、主要な円錐形本体に対して下方の位置にあり、そこには集水パイプラインと、燃焼ガスが吐出される上方向に向けられた端部の近くにおける煙突とがあり、
前記垂直方向円錐体部分における前記高架タンクによって特徴付けられ、
該高架タンクは、有効となるよう転換される蒸気を生成するよう使用される加圧水容器であり、
更には、垂直方向円錐体の外側部分において水平方向にはめ合わされる拡散ディスクを備え、
該ディスクは、前記燃焼ガスの温度を低減するよう使用される冷却パイプラインに対する担持部としての役割を有する、
排出物浄化システム。
【請求項２】
捕捉される粒子に対する収集タンクを備え、
水は、該粒子から分離される、
請求項１記載の排出物浄化システム。
【請求項３】
前記水平方向円錐体部分は、第２の緊急用煙突を備え、該第２の緊急用煙突は、緊急時に手動で始動され、また、水平方向円錐体の幅の最も広い端部の近くにおいてはめ合わされる、
請求項１記載の排出物浄化システム。
【請求項４】
前記水平方向円錐体は、排出ガス煙突の前に前記幅の最も狭い端部においてはめ合わされるリング形状におけるスプレイヤ管状システム及びシャワー型のスプレイヤシステムをはめ合わされる、
請求項１乃至３のうちいずれか一項記載の排出物浄化システム。
【請求項５】
前記水平方向円錐体は、外部避雷針を備える、
請求項１乃至４のうちいずれか一項記載の排出物浄化システム。
【請求項６】
当該装置は、フロー分配システムをはめ合わされ、該フロー分配システムは、両円錐体部分において前記収集タンクから当該浄化装置の前記スプレイヤまで加圧水を供給するためのハイドロニューマティックタンク、並びに、水圧が全般にわたって保たれる水の分配に対する接続ネットワークを有する、
請求項１乃至５のうちいずれか一項記載の排出物浄化システム。
【請求項７】
前記イグニション球体は、火山岩を有して作られる球体片を包含する球体キャニスタを有する、
請求項１乃至６のうちいずれか一項記載の排出物浄化システム。
【請求項８】
更には、前記高架タンクにおいて生成される前記蒸気からの熱を使用する羽根を有する熱伝導シリンダを更に備える、
請求項１乃至７のうちいずれか一項記載の排出物浄化システム。
【発明の詳細な説明】
【技術分野】
【０００１】
本願に記載される発明は、地球温暖化減速装置に係る。当該地球温暖化減速装置の技術分野又は技術セクタは、ピットバーナー、石油産業並びに焼却炉における高架バーナー、アウトドアバーナー、及び浮遊汚染粒子が生成される他の業界に焦点を置く。
【０００２】
本発明は、汚染ガスの大気に対する排出に由来する、地球温暖化が引き起こす世界気候変動を減速させることを目的として展開されたものである。本発明は、酸性雨の低減、バーナーにおける燃料によってもたらされる排出の温度及び騒音の低減に寄与する。本発明はまた、多種の使用に対して熱及び運動エネルギをもたらす蒸気を発出させる。本発明はまた、浮遊する粒子を集結させ、該粒子を別の用途に対して堆積物において定着させる。
【背景技術】
【０００３】
地球温暖化は、人間の健康、経済、及び環境に対する潜在的影響により、深刻な懸念事項である。地球温暖化は、場所によっては一般的に雪の量の減少、海面上昇、及び近年の気候の変化等のなんらかの過程に関連付けられている。これらは、人間活動及び生態系に影響を及ぼす。種によっては、変化する気候条件による絶滅を回避するために住む場所を変えることを余儀なくされるものもあり得る。海洋における水は温められると膨張するため、地球温暖化は海面上昇をもたらし得る。棚氷及び氷河の溶解はまた、海洋における液体の水の体積を増大させることに寄与する。気候は常に変化してきている。前世紀における気候に関する問題は、気候変化がいまや地球上の生物に影響を及ぼす程度にまで異常に悪化されてきている、という点である。この悪化の原因の探求において、科学者は、地球温暖化又は気候変動と主に産業社会に起因する大気への温室効果ガスの排出における増大との間において直接的関係がある、ことを見いだしている。
【０００４】
現在、地球温暖化及びその気候変動における直接的影響は、世界が関心をもつ現象であり、特に科学者は、それらを制御することを研究及び学習することに大半の時間を費やしている。科学者は、かかる現象が人類の未来を脅かすものであると主張している。多くの科学者は、大気における温室効果ガス濃度の増大が全地球的気候における変化をもたらす、ということを認めている。科学者はまた、温室効果ガスの排出は産業革命の始まりからより激しくなってきていることも認めている。言及しなくてはならないことは、全ての産業が一酸化炭素、硫黄酸化物、及びあらゆる種類の汚染物質を大気に対して排出しており、それが空気の品質を劣化させている、ということである。特には、世界の石油産業によって稼働されるピットバーナー及び高架オープンスカイバーナーは、次の理由により、最も汚染物質を出す装置である。各バーナーは、汚染粒子だけではなく、１２００℃乃至１８００℃の範囲にある温度において直接熱（calor  directo）を排出する。大気におけるこの一定の極高温である恒久的な熱は、嵐、雨、竜巻、吹雪、温帯性低気圧、及び熱波が形成される気流に力を与えることになり、地球及び生態系に連鎖的に影響を及ぼす連鎖反応を引き起こす。
【０００５】
他方では、温室効果ガスは大気において急速に増大している。これは、世界が更なる量の化石燃料を燃焼させ、二酸化炭素を吸収し且つ温度の平衡を保つよう支援し得る森林及び草原を破壊しているためである。このようなことをかんがみて、国際的な科学団体は、世界の発展、人口増加、及び化石燃料に基づくエネルギ消費量が現在のペースで成長し続ける場合、２０５０年までには、二酸化炭素濃度が産業革命以前のそれに対して二倍になるであろう、と警告している。これは、地球上の生物に悲惨な結果をもたらし得、また、酸素の欠乏又は汚染された空気品質により生きることさえ不可能であるところまで到達し得る。呼吸をする全ての生命体は、その影響を最初に感じるであろう。この深刻な問題によって影響を及ぼされない領域が地球上にはない、という可能性もある。
【０００６】
この世界的に深刻な問題を緩和することを目的として開発されたのが、本願によって保護されることを意図される、排出物浄化装置とも称される地球温暖化減速装置である。この装置は、燃焼によってもたらされる汚染浮遊粒子が排出されるセクタに適用されるときにクリーンエネルギを発出するため、温暖化が引き起こす悪影響のうちの一部を元に戻す。当該装置は、効率的でありかつ多くの利点を備える。生命、健康、及び地球に対して同様の利点を有する装置は現存しない、ことが留意される。排出物浄化装置とも称される地球温暖化減速装置の使用は、地球及び生態系（人類を含む）が上述された連鎖反応によってある程度損害を受けることを防ぐものである。
【０００７】
本願において示される装置に類似する装置は見つかっていない。しかしながら、先例とされ得る関連の特許はある。かかる特許は、自動車及び内燃機関からの汚染浮遊粒子を排除することに焦点を置いているが、場合によっては排気システムを補完するものとして、また触媒及びフィルタとして示される。小数例ではあるが、産業ヒュームが言及されることがある。
【０００８】
・  ＭＸ０１９６９８４（Ａ）「ＭＥＪＯＲＡＳ  Ａ  ＦＩＬＴＲＯ−ＶＡＬＶＵＬＡ  ＰＡＲＡ  ＥＬＩＭＩＮＡＲ  ＬＡＳ  ＥＭＡＮＡＣＩＯＮＥＳ  ＴＯＸＩＣＡＳ  ＤＥ  ＬＯＳ  ＭＯＴＯＲＥＳ  ＤＥ  ＣＯＭＢＵＳＴＩＯＮ  ＩＮＴＥＲＮＡ（内燃機関における毒性ガスを排除するためのフィルタ−バルブの改善）」（特許文献１）。
【０００９】
・  ＭＸ０００２７６８（Ａ）「ＭＥＪＯＲＡＳ  ＥＮ  ＡＰＡＲＡＴＯ  ＡＮＴＩＣＯＮＴＡＭＩＮＡＮＴＥ  ＰＡＲＡ  ＭＯＴＯＲＥＳ  ＤＥ  ＣＯＭＢＵＳＴＩＯＮ  ＩＮＴＥＲＮＡ  Ａ  ＧＡＳＯＬＩＮＡ  Ｏ  ＤＩＥＳＥＬ（ガス又はディーゼル燃焼内燃機関に対する汚染防止装置の改善）」（特許文献２）。
【００１０】
・  ＭＸ９２０００２９（Ａ）「ＣＡＴＡＬＩＺＡＤＯＲ  ＰＵＲＩＦＩＣＡＤＯＲ  ＤＥ  ＧＡＳ  ＤＥ  ＥＳＣＡＰＥ  ＤＥ  ＭＯＴＯＲＥＳ  ＤＩＥＳＥＬ（ディーゼルエンジン排ガス浄化用触媒）」（特許文献３。特開平４−２５０８５１に対応。）。
【００１１】
・  ＭＸ９３０４７２３（Ａ）「ＤＩＳＰＯＳＩＴＩＶＯ  ＦＩＬＴＲＯ  ＤＥ  ＡＤＡＰＴＡＣＩＯＮ  ＵＮＩＶＥＲＳＡＬ  ＰＡＲＡ  ＬＡ  ＲＥＴＥＮＣＩＯＮ  ＤＥ  ＥＬＥＭＥＮＴＯＳ  ＣＯＮＴＡＭＩＮＡＮＴＥＳ  ＱＵＥ  ＳＥ  ＥＮＣＵＥＮＴＲＡＮ  ＥＮ  ＬＡＳ  ＥＭＩＳＩＯＮＥＳ  ＰＲＯＤＵＣＩＤＡＳ  ＰＯＲ  ＭＯＴＯＲＥＳ  ＤＥ  ＣＵＭＢＵＳＴＩＯＮ  ＩＮＴＥＲＮＡ，  ＱＵＥ  ＵＴＩＬＩＺＡＮ  ＣＯＭＯ  ＣＵＭＢＵＳＴＩＢＬＥＳ  ＨＩＤＲＯＣＡＲＢＵＲＯＳ  ＬＩＱＵＩＤＯＳ  Ｙ  ＱＵＥ  ＳＥ  ＡＤＡＰＴＡＮ  Ａ  ＬＡ  ＰＯＲＣＩＯＮ  ＴＥＲＭＩＮＡＬ  ＤＥＬ  ＴＵＢＯ  ＤＥ  ＥＳＣＡＰＥ  ＤＥＬ  ＭＯＴＯＲ（液化炭化水素燃料において稼働する内燃機関によって発出される排出において見られる汚染要素に対する一般的に適合可能であるフィルタ装置）」（特許文献４）。
【００１２】
・  ＭＸ９５００８３５（Ａ）「ＭＥＴＯＤＯ  ＰＡＲＡ  ＲＥＤＵＣＩＲ  ＬＡＳ  ＥＭＩＳＩＯＮＥＳ  ＤＥ  ＬＯＳ  ＧＡＳＥＳ  ＤＥ  ＥＳＣＡＰＥ  ＤＥ  ＬＯＳ  ＭＯＴＯＲＥＳ  ＤＥＬ  ＣＩＣＬＯ  ＯＴＴＯ（オットーサイクルエンジン排出ガスにおける排出を低減する方法）」（特許文献５）。
【００１３】
・  ＭＸ９６０６０８７（Ａ）「ＳＩＳＴＥＭＡ  ＣＡＴＡＬＩＺＡＤＯＲ  ＤＥ  ＭＩＮＩ−ＣＡＳＣＡＤＡ（ミニカスケード触媒システム）」（特許文献６）。
【００１４】
・  ＭＸ９２０１２９１（Ａ）「ＵＮ  ＳＩＳＴＥＭＡ  ＤＥ  ＥＳＣＡＰＥ  ＰＡＲＡ  ＥＦＬＵＥＮＴＥＳ  ＤＥ  ＰＲＯＣＥＳＯＳ  ＤＥ  ＣＯＭＢＵＳＴＩＯＮ（内燃工程廃液に対する排出システム）」（特許文献７）。
【００１５】
・  ＭＸ９３０５７５１（Ａ）「ＵＮＩＤＡＤ  ＥＬＥＣＴＯＲＯＬＩＴＩＣＡ  ＳＵＰＲＥＳＯＲＡ  ＤＥ  ＣＯＮＴＡＭＩＮＡＮＴＥＳ（電解質汚染物質サプレッサ）」（特許文献８）。
【先行技術文献】
【特許文献】
【００１６】
【特許文献１】ＭＸ０１９６９８４（Ａ）
【特許文献２】ＭＸ０００２７６８（Ａ）
【特許文献３】ＭＸ９２０００２９（Ａ）
【特許文献４】ＭＸ９３０４７２３（Ａ）
【特許文献５】ＭＸ９５００８３５（Ａ）
【特許文献６】ＭＸ９６０６０８７（Ａ）
【特許文献７】ＭＸ９２０１２９１（Ａ）
【特許文献８】ＭＸ９３０５７５１（Ａ）
【発明の概要】
【発明が解決しようとする課題】
【００１７】
したがって、本発明が与える特徴及び複数の利点は、本発明が大気への汚染ガスの排出に起因する地球温暖化によって引き起こされる世界気候変動を減速させることを目的として展開されたため、無類のものとなっている、ということが主張されるべきである。本発明はまた、酸性雨を減少させること、放射物の温度及びバーナーにおける燃料の圧力によって発出される騒音を低減させること、及び、多種の目的に対して熱及び運動エネルギを同様に生成する蒸気を発出させることに寄与する。本発明はまた、浮遊粒子を集結させ、後に使用するよう堆積物へと定着させる。
【課題を解決するための手段】
【００１８】
本発明は、定置の航空可搬である装置に係り、該装置は、汚染浮遊粒子を捕捉及び収集し、清浄な空気が汚染されることを防ぎ、火、ヒューム、及び放射熱が大気に到達することを防ぎ、故に地球温暖化を減速させる、ことを目的とする。本発明はまた、燃焼に伴う悪臭を抑え、酸性雨を減少させ、熱エネルギを運動エネルギに変換するよう蒸気の形状における熱エネルギの利用を可能にする。本願発明は、排出物の温度及びバーナーにおける燃料の圧力が生成する騒音を低減する。
【００１９】
排出物浄化装置とも称される地球温暖化減速装置の特徴的な詳細は、以下の説明及び添付の図面によって明確に示される。本発明の図において図示される部分を示すよう同一の参照符号が使用される。
【図面の簡単な説明】
【００２０】
【図１】四角形形状を備えかつ中心部はいかなる構造も有さない垂直方向円錐体（２３）の担持台（１）の等角図である。
【図２】要素（４）である排水パイプに接続される開口部を有する要素（３）を備える構造を有する円形チャネル（２）の等角図である。
【図３】垂直方向円錐体（２３）及び担持台（１）を保持するよう使用される円形梁（５）の等角図であり、その構造は、要素（７）の４つの基点に対して向けられる４つの貫通部、及び垂直方向円錐体（２３）を固定するためのリム及びフランジを備える。
【図４】中心部は如何なる構造も備えないことが留意されるべきである、円筒形状を備える高架タンクに対する基部（８）の等角図である。
【図５】外部キャニスタ及び中心に石炭又は火山岩を有するイグニション球体（９）の等角図である。
【図６】凸状下部及び円錐構造、並びにメンテナンスを目的としてアウトプット排水パイプ（１２）が適合される雌ねじ及び雄ねじ（１１）、及び遮断弁（１３）を有する、高架熱エネルギ発出タンク（１０）の等角図である。
【図７】遮断弁（１８）及び水量メータ（１７）を有するパイプ（１９）と、弁シール（１５）と、蓋自体（１６）と、マノメータ（２１）及び弁（２２）を有するパイプ（２０）を有する蒸気出口と、を有する充填システムを有する構造である、高架タンクのきつくはめ合う蓋の等角図である。
【図８】外部インプット部（２４）を有する管状の環状スプリンクラを有する垂直方向円錐体（２３）の等角図である。
【図９】同心真空を有する異なる直径の熱拡散ディスク（２５）の等角図である。
【図１０】冷却コイル（２６）の等角図である。
【図１１】コネクタの分岐を有するフロー分配器（２７）の等角図である。
【図１２】保持リング（２９）を有する長いはしご要素（２８）の等角図である。
【図１３】保持リング（２９）を有する短いはしご要素（２９）の等角図である。
【図１４】円形スプリンクラ（３５）、蓋を有する保全煙突（３１）、ホイップ（３３）、フィルタ遮蔽システム（３６）を有する恒久的出口煙突、スプリンクラシステム（３０）、垂直方向円錐体（２３）の挿入に対する開口部（３４）、及び避雷針（３２）を有する水平方向型円錐体（３７）の等角図である。
【図１５】遮蔽システム（３８）及び異なる直径の遮蔽部（３９）の等角図である。
【図１６】開口（４０）を有する、並びに開口（４１）を有さない円錐体の等角図である。
【図１７】開口部（４３）を備える構造である半円形保持器（４２）の等角図である。
【図１８】インプットパイプ（６６）、担持ハンドル（６７）、及びカバー蓋固定のための開口を有する水平方向円錐体のきつくはめ合う蓋（４４）の側面図、上面図、下面図である。
【図１９】スプリンクラ（３０）のＬ型部（４５）の等角図である。
【図２０】遮蔽部（４６）の等角図である。
【図２１】フィルタ（４７）の等角図である。
【図２２】抽出器に対する基部（４８）の等角図である。
【図２３】空気抽出器（４９）の等角図である。
【図２４】プーリーシステム（５０）の等角図である。
【図２５】カバー（５２）、ケーブルダクト（図示せず）及びポンプシステムのホース（５３）、水平方向円錐体要素からのアウトプットコネクタパイプ（５４）、流体穴（５５）、金属格子（５６）、メンテナンスストッパー（５７）、ハイドロニューマティックタンクに対して粒子格納タンクを接続するためのアウトプット部（５８）、及びレベルプラグ（５９）を有する、捕捉粒子に対する格納タンクの等角図である。
【図２６】水圧アウトプット部（６１）を有する水中ポンプ（６０）の等角図である。
【図２７】エアコンプレッサ（６２）を有するハイドロニューマティックタンクの等角図である。
【図２８】両アームにおいて遮断弁（６４）を有するＹ字コネクタ（６３）の等角図である。
【図２９】一体化された熱伝導羽根付きシリンダ（６５）を有する集熱シリンダの等角図である。
【図３０】全て組み立てられた装置の等角図である。
【発明を実施するための形態】
【００２１】
添付の図を参照すると、排出物浄化システムとも称される地球温暖化減速装置は、垂直方向円錐体（２３）及び水平方向円錐体（３７）である２つの円錐体によって幾何学的に形成され、燃焼ガスを浄化することを所望される燃焼部又は煙突を完全に覆うかあるいは封入する航空可搬の定置金属フレーム基部（１）上で担持される。
【００２２】
当該装置は、以下の方途において組み立てられる。図１中の垂直方向円錐体の担持台（１）が配置される。燃焼点、煙突、又はバーナー（図示せず）は、内側に収容される。続いて図２中の円形チャネル（２）は、垂直方向円錐体の担持台（１）上にはめ合わされる。円形梁（５）は、図３中の円形チャネル（５）上に配置され、図１中の担持台にねじでとめられる。図４中の高架タンクに対する基部（８）は、バーナーに対して同心位置において垂直方向円錐体の担持台（１）へと導入される。続いて図５中のイグニション球体（９）は、図４中の高架タンクに対する基部（８）において配置され、その後図６中の高架タンク（１０）はこの基部上に配置される。図７中の高架タンクのカバー蓋（１４）は配置され、続いて図８中の垂直方向円錐体（２３）は、図２中の円形チャネル（２）上に配置され、図３中の円形梁（５）に対してねじでとめられ、図６中の高架タンク（１０）を覆い、図４中の高架タンクの基部（８）を覆い、担持台（１）上に垂直方向円錐体（２３）を静置する。続いて、図９中の拡散ディスクは、図８中の垂直方向円錐体（２３）上に挿入され、図１０中の冷却コイル（２６）は、拡散ディスク上に配置され、図８中の垂直方向円錐体（２３）を覆う。冷却コイル（２６）は、図１１中のフロー分配器（２７）のラインの１つに対して下部において接続され、図１４中のスプリンクラ（３０）に対して上部において接続される。続いて、図１２及び図１３中の折畳みリング（２９）を有する長いはしご部（２８）及び短いはしご部（２９）は、図１中の垂直方向円錐体の担持台（１）に対して馬蹄型クランプ（図示せず）で固定される。また、はしご部は、保持型サスペンダで地面に固定される。図１４中の水平方向円錐体（３７）は、はしご部の保持リング（２９）の内側に据え付けられる。遮蔽システム（３８）は、図１５中の水平方向円錐体（３７）の内側に配置される。図８中の垂直方向円錐体（２３）は、図１４中の開口部を用いて水平方向円錐体（３７）の内側に挿入される。図１５に示されるＬ型部（４０）は、垂直方向円錐体（２３）のアウトプット部において内部にはめられる。Ｌ型部は、水平方向円錐体（３７）の最も狭い部分に対して向けられ、ねじで固定される。他のＬ型部（４１）は、図１６中の水平方向円錐体（３７）の最も狭い部分において外方向にはめられる。垂直方向放出チューブは、Ｌ型部（４１）に対して固定される。図１７中の半円形保持器（４２）は、水平方向円錐体（３７）の最も幅の広い端部において配置され、図１４中の水平方向円錐体（３７）の内側において４つのねじで固定される。その後、図１８中の水平方向円錐体の蓋（４４）は閉じられる。図２２中の空気抽出器（４５）に対する取付けは、水平方向円錐体（３７）を担持するはしご部（２８）上に配置され、図２３中の空気抽出器（４９）はその上に配置される。ここで、水平方向円錐体（３７）の最も幅の広い部分にはめられた抽出器は、反転位置において配置され、インペラとして作動する。他の空気抽出器は、地面上に反転位置において配置され、緊急用インペラとして作動し得る。いずれのインペラも水平方向円錐体の蓋（４４）に対して接続される。その最も幅の狭い部分において水平方向円錐体は、図１４中の水平方向円錐体（３７）のアウトプット部に接続するＬ型部（４１）に対してチューブで接続され、煙突円錐体又は清浄なガスのアウトプット部は、図２０及び２１に示されるように遮蔽システム（４６）及びフィルタ（４７）を備え、煙突の外側（３６）において図２４に示される通りプーリー（５０）がはめられ、フィルタが交換され得るようにする。円錐体の最も幅が狭い部分のＬ型部（４１）において挿入されるチューブは、図２５中の格納蓋における流入ダクト（５４）を通る浮遊粒子に対する格納タンク（５１）において配置される。タンク（５１）は、図２６中の水中ポンプ（６０）のシステムを備える。また、水中ポンプは、捕捉された粒子に対する格納タンクの内側に配置され、該粒子は図２５中の格子（５６）上に静置する。かかる水中ポンプの各々の水圧アウトプット部（６１）は、浮遊粒子格納タンク（５１）の出口部（５３）を通って図２８中のＹ字コネクタ（６３）に対して接続される。各Ｙ字コネクタ（６３）は、水平方向円錐体（３０）のスプリンクラネットワークに対して、またクランプ留めされるパイプを用いて図１４中のリング型管状スプリンクラ（３５）に対して接続される。図２７中のハイドロニューマティックタンク（６２）は、図１１中のフロー分配器（２７）に対して接続され、これは、図２５中のアウトプット部（５８）及び（５３）において捕捉された粒子格納タンク（５１）に対して接続される。図１１中のフロー分配器（２７）からはラインが出ており、該ラインは、同一のＹ字コネクタネットワーク（６３）に対して接続され、水平方向円錐体（３７）の全てのスプリンクラ（３０）及びそのフロー分配器（２７）のそれらに供給する唯一のラインを形成する。ラインは、図１０中の冷却コイルに接続するようにされる。図２９中の一体化された熱伝導羽根付き円筒形システムを有する集熱シリンダ（６５）は、図８中の垂直方向円錐体（２３）の下方部において水平方向位置に配置され、図１中の垂直方向円錐体の担持台（１）の一側に対して取り付けられ、エアコンプレッサに対して一端において接続される。図１１中のフロー分配器（２７）は、垂直方向円錐体（２３）のメンテナンスのために図８中の一連の円形スプリンクラ（２４）に対して最終的には接続される。最後に、図３０は、全てが組み立てられた装置の部分図である。
【００２３】
当該装置は、以下の通り作動する：  煙及び浮遊粒子を除去するよう、垂直方向円錐体は、それらを取り囲み、水平方向円錐体（３７）に導き、遮蔽システム（３９）を通されるようにする。同時に、人為的乱気流は、水スプリンクラ（３０）及び空気インペラ（４９）を用いて発出される。浮遊粒子は、格納タンク（５１）に対してもたらされ、それと同時に水は、循環式にスプリンクラに送られる。火炎の熱及び燃焼ガスの温度は、容量の６５％を充填される高架タンク（１０）を加熱するよう使用されるときに低減され、多種の目的及び利点に対して対外的に使用され得る蒸気が生成される。同時に、水は、浮遊粒子格納タンク（５１）によって同様に供給され、ハイドロニューマティックタンク（６２）によって供給される垂直方向円錐体（２３）の外側におけるコイルを通るようにされる。コイル（２６）は、熱拡散ディスク（２５）によって担持される。また、水平方向円錐体における人為的乱気流は、排出の温度を下げる。一方、遮蔽体（３９）は、浮遊粒子を保持し、スプリンクラ（３０）によって潤滑化される。垂直方向円錐体（２３）及び水平方向円錐体（３７）は、円錐体の幅の広い部分から各円錐体の幅の狭い部分までの騒音の循環によりバーナーノズル（図示せず）から出るガス放射の騒音を低減する支援をする。イグニション球体（９）は、バーナーが偶発的にオフにされる場合、安全上の理由により燃焼し続けるようにされる。垂直方向円錐体の基部において位置決めされる排水パイプ（４）を有する円形チャネル（２）は、メンテナンスサービス中に水滴を収集するよう使用される。垂直方向円錐体（２３）からの外部インプットを有する管状リングは、メンテナンスサービスを与えるよう、また垂直方向円錐体（２３）を洗浄するよう使用される。半円形保持器（４２）は、安全要素として作動し、水平方向円錐体からの漏れを防ぐ。フロー分配器を有するハイドロニューマティックタンク（６２）は、循環工程において全システムに対して空気及び水を再利用する機能を備える。一体化された分離システムを有する集熱シリンダ（６５）は、火炎によって生成される熱を収集し、それを蒸気へと変える機能を備える任意の機器であり、かかる蒸気はエアコンプレッサを用いて電力へと変換され得る。きつく閉まる蓋を有する高架タンク（１０）は、高圧蒸気を発出する機能を備える。該高圧蒸気は、蒸留水を発出するための蒸留工程又は脱イオン蒸留水を発出するよう純水器を行うよう、あるいはタービン及びエンジンを動かして電気を発出させるよう、運動エネルギとして利用され得る。
【００２４】
本願の排出物浄化器／浄化装置とも称される地球温暖化減速装置は、以下の通りの利点を備える。
【００２５】
本願の装置が備える第１の利点は、当該装置が排出及び火炎によって放射される熱の温度を低減することである。
【００２６】
本願の装置が示す第２の利点は、当該装置が燃焼する火炎によって発出される音の強度を減少させることである。
【００２７】
本願の装置が示す第３の利点は、当該装置が火炎によって生成される熱を遮断し、エンジンを動かすこと、ジェネレータに動力を与えること、乾燥機、及び脱水工程等である多種の用途に対する多種の目的に対して利用される運動エネルギへと該熱を変換することである。
【００２８】
本願の装置の第４の利点は、当該装置が放出物の特徴的な悪臭を排除することである。
【００２９】
本願の装置が示す第５の利点は、捕捉された粒子を産業的に利用することを可能にすることである。該粒子は、トナー及びインクを作るために使用され得る液体及び固体廃棄物として格納され、建築産業では煉瓦、アスファルト乳剤を作るよう、並びに濃縮粒子が有し得る他の用途に対して使用され得る。
【００３０】
本願の装置の第６の利点は、当該装置の組立てが容易であることである。
【００３１】
本願の装置の第７の利点は、当該装置が各特定の産業のニーズに応じて多種の寸法で作られ得ることである。
【００３２】
本願の装置の第８の利点は、当該装置が空中可搬で固定されることであり、即ちいかなる場所においても据え付けられ得るよう運搬され得ることである。
【００３３】
本願の装置の第９の利点は、当該装置が汚染浮遊粒子を捕捉及び収集し得ることであり、清浄な空気が汚染されることを防ぎ、燃焼する火が引き起こす大気へと放射される屋外の火及び熱を抑え、地球温暖化を減速させ、燃焼の悪臭及び聴覚汚染（騒音）を抑え、酸性雨を防ぎ、蒸気の形状における熱エネルギ及び運動エネルギの利用を可能にし、燃焼の温度を低減させる。
【００３４】
上述の通り、浮遊粒子を捕捉し多種の目的に対して蒸気を生成する特徴は、他の類似する装置によって達成されておらず、屋外の極高温熱を回避し、電気を発出するための蒸気として汚染物質を清浄なエネルギへと変えるものである。
【図１】
2011517296.tif 000003
【図２】
2011517296.tif 000004
【図３】
2011517296.tif 000005
【図４】
2011517296.tif 000006
【図５】
2011517296.tif 000007
【図６】
2011517296.tif 000008
【図７】
2011517296.tif 000009
【図８】
2011517296.tif 000010
【図９】
2011517296.tif 000011
【図１０】
2011517296.tif 000012
【図１１】
2011517296.tif 000013
【図１２】
2011517296.tif 000014
【図１３】
2011517296.tif 000015
【図１４】
2011517296.tif 000016
【図１５】
2011517296.tif 000017
【図１６】
2011517296.tif 000018
【図１７】
2011517296.tif 000019
【図１８】
2011517296.tif 000020
【図１９】
2011517296.tif 000021
【図２０】
2011517296.tif 000022
【図２１】
2011517296.tif 000023
【図２２】
2011517296.tif 000024
【図２３】
2011517296.tif 000025
【図２４】
2011517296.tif 000026
【図２５】
2011517296.tif 000027
【図２６】
2011517296.tif 000028
【図２７】
2011517296.tif 000029
【図２８】
2011517296.tif 000030
【図２９】
2011517296.tif 000031
【図３０】
2011517296.tif 000032
【国際調査報告】
2011517296.tif 000033
2011517296.tif 000034
2011517296.tif 000035
2011517296.tif 000036